(57)【要約】      （修正有）【課題】漏水の検出精度を高める漏水検知システム、漏水検知方法、及びプログラムを提供する。【解決手段】漏水検知システム１は、予め定めた所定の領域に水を供給する給水系統である給水管３７０からの漏水を検知する漏水検知システムであって、前記所定の領域にいる人数の情報を含む情報に基づいて、前記供給系統からの漏水を判定する漏水判定部１３０を備える。【選択図】図１
2015232515.tif 000002
【特許請求の範囲】
【請求項１】
予め定めた所定の領域に水を供給する給水系統からの漏水を検知する漏水検知システムであって、
前記所定の領域にいる人数の情報を含む情報に基づいて、前記供給系統からの漏水を判定する漏水判定部
を備えることを特徴とする漏水検知システム。
【請求項２】
前記所定の領域内に存在する人数を算出する人数算出部
を備え、
前記漏水判定部は、
前記算出した人数の情報を含む情報に基づいて、前記供給系統からの漏水を判定する
ことを特徴とする請求項１に記載の漏水検知システム。
【請求項３】
前記漏水判定部は、
前記供給系統からの漏水の有無を判定する判定基準に前記検出された人数を用いて、前記供給系統からの漏水を判定する
ことを特徴とする請求項１又は２に記載の漏水検知システム。
【請求項４】
前記判定基準は、所定の期間に前記所定の領域にいた人数と、前記所定の期間に供給した水量との比に基づいた第１の判定基準を含む
ことを特徴とする請求項３に記載の漏水検知システム。
【請求項５】
前記第１の判定基準は、所定の期間に前記所定の領域にいる一人あたりに必要とされる水量と、前記所定の期間に前記所定の領域の室内環境を調整した空気調和設備に供給する水量とを加えた水量に基づいて定める
ことを特徴とする請求項４に記載の漏水検知システム。
【請求項６】
前記判定基準は、前記所定の領域の広さと、前記所定の期間に供給した水量の比に基づいた第２の判定基準を含む
ことを特徴とする請求項４又は５に記載の漏水検知システム。
【請求項７】
前記判定基準は、所定の期間に供給した、前記所定の期間ごとの水量の前回値と今回値の差に基づいた第３の判定基準を含む
ことを特徴とする請求項４から請求項６の何れか１項に記載の漏水検知システム。
【請求項８】
前記漏水判定部は、
前記第１の判定基準、前記第２の判定基準、前記第３の判定基準のうちの複数の判定基準に基づいて前記供給系統からの漏水を判定する
ことを特徴とする請求項７に記載の漏水検知システム。
【請求項９】
予め定めた所定の領域に水を供給する給水系統の漏水検知方法であって、
前記所定の領域にいる人数の情報を含む情報に基づいて、前記供給系統からの漏水を判定するステップ
を含むことを特徴とする漏水検知方法。
【請求項１０】
予め定めた所定の領域に水を供給する給水系統からの漏水を検知する漏水検知システムのコンピュータに、
前記所定の領域にいる人数の情報を含む情報に基づいて、前記供給系統からの漏水を判定するステップ
を実行させるプログラム。
【発明の詳細な説明】
【技術分野】
【０００１】
本発明は、漏水検知システム、漏水検知方法、及びプログラムに関する。
【背景技術】
【０００２】
施設内における水道の漏水を検知するには、毎月の上水道の使用量と経験的に定めた基準値とを比較したり、毎月の上水道の使用量と衛生設備設計時に使用量算出方法で算出した設計値とを比較したりすることで、漏水の発生を推定していた。
また、１日の内の予め規定した時間帯における使用量のデータを計測・記録し、予め設定した基準値と比較して、数日間基準値を超えているときに漏水と判定している（例えば、特許文献１参照）。
【先行技術文献】
【特許文献】
【０００３】
【特許文献１】特開平４−３１８４３６号公報
【発明の概要】
【発明が解決しようとする課題】
【０００４】
しかしながら、その施設や施設に設けられた設備を利用する利用者が通常よりも多い日が続いたり、利用時間が延長される日が多かったりした場合には、上水道の使用量が基準値を超えてしまうことがあり、誤って漏水と判定してしまっていた。一方で、上記のような誤検出を防ぐために基準値を大きくすると漏水を検出できない場合があった。
【０００５】
本発明は、斯かる実情に鑑みなされたものであり、本発明の目的は、漏水の検出精度を高める漏水検知システム、漏水検知方法、及びプログラムを提供することにある。
【課題を解決するための手段】
【０００６】
本発明は、上記課題を解決するためになされたものであり、本発明の第１の態様である漏水検知システムは、予め定めた所定の領域に水を供給する給水系統からの漏水を検知する漏水検知システムであって、前記所定の領域にいる人数の情報を含む情報に基づいて、前記供給系統からの漏水を判定する漏水判定部を備えることを特徴とする。
【０００７】
また、上記の漏水検知システムは、前記所定の領域内に存在する人数を検出する人数検出部を備え、前記漏水判定部は、前記算出した人数の情報を含む情報に基づいて、前記供給系統からの漏水を判定することを特徴とする。
【０００８】
また、上記の漏水検知システムの前記漏水判定部は、前記供給系統からの漏水の有無を判定する判定基準に前記検出された人数を用いて、前記供給系統からの漏水を判定することを特徴とする。
【０００９】
また、上記の漏水検知システムの前記判定基準は、所定の期間に前記所定の領域にいた人数と、前記所定の期間に供給した水量との比に基づいた第１の判定基準を含むことを特徴とする。
【００１０】
また、上記の漏水検知システムの前記第１の判定基準は、所定の期間に前記所定の領域にいる一人あたりに必要とされる水量と、前記所定の期間に前記所定の領域の室内環境を調整した空気調和設備に供給する水量とを加えた水量に基づいて定めることを特徴とする。
【００１１】
また、上記の漏水検知システムの前記判定基準は、前記所定の領域の広さと、前記所定の期間に供給した水量の比に基づいた第２の判定基準を含むことを特徴とする。
【００１２】
また、上記の漏水検知システムの前記判定基準は、所定の期間に供給した、前記所定の期間ごとの水量の前回値と今回値の差に基づいた第３の判定基準を含むことを特徴とする。
【００１３】
また、上記の漏水検知システムの前記漏水判定部は、前記第１の判定基準、前記第２の判定基準、前記第３の判定基準のうちの複数の判定基準に基づいて前記供給系統からの漏水を判定することを特徴とする。
【００１４】
また、本発明の第２の態様は、予め定めた所定の領域に水を供給する給水系統の漏水検知方法であって、前記所定の領域にいる人数の情報を含む情報に基づいて、前記供給系統からの漏水を判定するステップを含むことを特徴とする漏水検知方法である。
【００１５】
また、本発明の第３の態様は、予め定めた所定の領域に水を供給する給水系統からの漏水を検知する漏水検知システムのコンピュータに、前記所定の領域にいる人数の情報を含む情報に基づいて、前記供給系統からの漏水を判定するステップを実行させるプログラムである。
【発明の効果】
【００１６】
本発明によれば、漏水の検出精度を高めることができる。
【図面の簡単な説明】
【００１７】
【図１】本発明の実施形態に係る漏水検知システムの概要を示す説明図である。
【図２】漏水検知装置１００の判定処理の手順を示すフローチャートである。
【図３】第１の漏水判定処理のより具体的な手順の一例を示すフローチャートである。
【図４】第２の漏水判定処理のより具体的な手順の一例を示すフローチャートである。
【発明を実施するための形態】
【００１８】
以下、本発明の実施の形態を、添付図面を参照して説明する。
【００１９】
図１は、本発明の実施形態に係る漏水検知システムの概要を示す説明図である。本実施形態の漏水検知システム１は、漏水検知装置１００を備える。漏水検知システム１は、さらに、入退出管理装置２１０、入退出検知部２２０、上水使用量算出装置３１０を含んで構成してもよい。
【００２０】
上記のように構成した漏水検知システム１は、施設８００内で生じた漏水を検知する。例えば、漏水検知システム１は、施設８００内の予め定めた所定の領域に水を供給する給水系統である給水管３７０からの漏水を検知する。以下の説明では、施設８００内の予め定めた所定の領域のことを、室内８１０として説明する。漏水検知システム１は、室内８１０にいる人数の情報を含む情報に基づいて、給水管３７０（供給系統）からの漏水を判定する。
【００２１】
上記の漏水検知システム１の検知対象の一構成例について説明する。同施設８００の給水施設として、止水栓３２０、量水器３３０、水栓３４０、及び、給水管３５０、３６０、３７０が設けられている。配水施設から水が供給される給水管３５０には、止水栓３２０が設けられている。止水栓３２０の下流側には給水管３６０の一端が接続され、給水管３６０の他端には量水器３３０が接続されている。量水器３３０の下流側には、給水管３７０の一端が接続され、給水管３７０の他端には水栓３４０が接続されている。
【００２２】
また、施設８００には、空気調和設備４００が設けられている。空気調和設備４００は、冷却塔４１０、冷凍機４２０、空気調和機４３０を備える。冷却塔４１０と冷凍機４２０の間、冷凍機４２０と空気調和機４３０との間は、それぞれ冷媒を循環させる管路で接続されており、図示されない圧縮機等により、管路内の冷媒が循環される。
【００２３】
なお、前述の給水管３７０は、量水器３３０から水栓３４０までの間で分岐され、分岐した先に前述の冷却塔４１０が設けられている。このように構成された給水施設において、量水器３３０は、水栓３４０と冷却塔４１０に供給された水量を量る。また、量水器３３０は、給水管３７０に漏水が生じた場合、その漏水の量を合わせて量ることになる。給水管３７０に漏水が生じた場合には、計量された結果には漏水による水量が誤差として含まれて検出される。量水器３３０は、量った水量を数値化したデータとして出力できるものとする。例えば、量水器３３０をスマートメーターとして構成してもよい。
【００２４】
上水使用量算出装置３１０は、量水器３３０から逐次出力されるデータを受けて、そのデータを施設８００における給水施設に供給された水量のデータとして記憶する。上水使用量算出装置３１０は、外部からの要求に応じて、記憶している水量のデータを要求元の装置に供給する。例えば、上水使用量算出装置３１０は、漏水検知装置１００からの要求に応じて、記憶している水量のデータを漏水検知装置１００に供給する。
【００２５】
入退出検知部２２０は、室内８１０に入退出する人を検知する。入退出検知部２２０が検知した人の情報を入退出管理装置２１０に提供する。
入退出管理装置２１０は、入退出検知部２２０によって検知された、室内８１０に入退出した人の情報を収集し、室内８１０に入退出した人数の履歴情報を記憶するとともに、漏水検知装置１００からの要求に応じて、要求元の漏水検知装置１００に対してその履歴情報を提供する。
【００２６】
漏水検知装置１００は、施設利用人数算出部１１０、上水使用量取得部１２０、漏水判定部１３０、入出力部１４０を備える。
【００２７】
施設利用人数算出部１１０は、入退出管理装置２１０からの情報を基にして、室内８１０に存在する人数を算出する。例えば、施設利用人数算出部１１０は、室内８１０に存在する人数を、所定の期間に在室していた延べ人数として算出する。
上水使用量取得部１２０は、上水使用量算出装置３１０が記憶している水量のデータを上水使用量算出装置３１０から供給を受けて、取得する。
【００２８】
漏水判定部１３０は、室内８１０にいる人数の情報を含む情報に基づいて、給水管３７０（供給系統）からの漏水を判定する。漏水判定部１３０は、前記算出した人数の情報を含む情報に基づいて、給水管３７０（供給系統）からの漏水を判定する。又、漏水判定部１３０は、給水管３７０（供給系統）からの漏水の有無を判定する判定基準に、施設利用人数算出部１１０によって算出された人数を用いて、給水管３７０（供給系統）からの漏水を判定するようにしてもよい。
【００２９】
入出力部１４０は、ユーザの操作を検出して、検出した操作に応じて、漏水検知装置１００を制御する。入出力部１４０は、漏水判定部１３０による漏水の判定結果を出力する。
なお、入出力部１４０は、外部の装置と通信するように構成してもよい。
【００３０】
上記のように構成した漏水検知装置１００は、例えば、下記に示す判定処理により漏水を検出する。
【００３１】
施設や施設に設けられた設備を利用する利用者が通常よりも多い日が続いたり、利用時間が延長される日が多かったりした場合には、上水道の使用量が基準値を超えてしまい、誤って漏水と判定してしまうことがある。
このような場合においても正確に判定できるように、利用者数に応じて判定基準を調整するようにする。
【００３２】
図２を参照して、漏水検知装置１００の判定処理について説明する。
同図は、漏水検知装置１００の判定処理の手順を示すフローチャートである。
【００３３】
漏水判定部１３０は、第１の漏水判定処理をする（ステップＳａ１０）。
この第１の漏水判定処理における判定基準は、所定の期間に室内８１０にいた人数と、前記所定の期間に供給した水量との比に基づいた第１の判定基準を含む。例えば、第１の判定基準は、所定の期間に室内８１０にいる一人あたりに必要とされる水量と、前記所定の期間に室内８１０の室内環境を調整した空気調和設備に供給する水量とを加えた水量に基づいて定めてもよい。
上記の第１の判定基準の導出方法を次の式（１）に示す。式（１）は、一人あたりに必要とされる水量と空気調和設備に供給する水量の算出の基準に、給水設備の設計時に用いられる水の使用量の算出方法を示すものである。
一人あたりに必要とされる水量は、事務所用に用いられる施設であれば、１００（リットル／日）と定められている。空気調和設備の冷却塔の補給水として供給する水量は、０．２６（リットル／分・USRｔ）と定められている。空気調和設備の全負荷相当運転時間を６５０時間と想定すると、通年の空気調和設備の冷却塔の補給水として供給する水量は、１０．１４（ｍ３／年・USRｔ）になる。
上記の数値を参照して、設計用水道水使用量との比率を算出する。
【００３４】
【数１】
2015232515.tif 000003
【００３５】
上記式（１）により算出された値に基づいて、第１の判定基準を設定する。
【００３６】
次に、漏水判定部１３０は、第２の漏水判定処理をする（ステップＳａ２０）。
この第２の漏水判定処理における判定基準は、室内８１０の広さと、前記所定の期間に供給した水量の比に基づいた第２の判定基準を含む。また、第２の漏水判定処理における判定基準は、所定の期間に供給した、前記所定の期間ごとの水量の前回値と今回値の差に基づいた第３の判定基準を含む。
【００３７】
次に、漏水判定部１３０は、漏水判定の結果を評価する（ステップＳａ３０）。
漏水判定部１３０は、前記第１の判定基準、前記第２の判定基準、前記第３の判定基準のうちの複数の判定基準に基づいて給水管３７０（供給系統）からの漏水の有無を判定した結果を評価する。
【００３８】
次に、入出力部１４０は、漏水判定部１３０による評価結果を出力する（ステップＳａ４０）。
【００３９】
（第１の漏水判定処理について）
図３を参照して、上記の第１の漏水判定処理のより具体的な一例について説明する。同図は、第１の漏水判定処理のより具体的な手順の一例を示すフローチャートである。
【００４０】
漏水判定部１３０は、一人あたりの水の使用量が１０ｍ３／人以下であるか否かを判定する（ステップＳ１１０）。ステップＳ１１０における判定により、一人あたりの水の使用量が１０ｍ３／人以下であると判定した場合（ステップＳ１１０：Ｙｅｓ）、漏水判定部１３０は、一人あたりの水の使用量が５ｍ３／人以下であるか否かを判定する（ステップＳ１１５）。
【００４１】
ステップＳ１１５における判定により、一人あたりの水の使用量が５ｍ３／人以下であると判定した場合（ステップＳ１１５：Ｙｅｓ）、ステップＳ１２０の処理に進む。
【００４２】
一方、ステップＳ１１５における判定により、一人あたりの水の使用量が５ｍ３／人より大きいと判定した場合（ステップＳ１１５：Ｎｏ）、漏水判定部１３０は、面積当たりの水の使用量が０．１ｍ３／ｍ２以下であるか否かを判定する（ステップＳ１４０）。ステップＳ１４０における判定により、面積当たりの水の使用量が０．１ｍ３／ｍ２以下であると判定した場合（ステップＳ１４０：Ｙｅｓ）、ステップＳ１２０の処理に進む。
【００４３】
ステップＳ１１５における判定により、一人あたりの水の使用量が５ｍ３／人以下であると判定した場合（ステップＳ１１５：Ｙｅｓ）、又は、ステップＳ１４０における判定により、面積当たりの水の使用量が０．１ｍ３／ｍ２以下であると判定した場合（ステップＳ１４０：Ｙｅｓ）、漏水判定部１３０は、面積当たりの水の使用量が０．０１ｍ３／ｍ２以下であるか否かを判定する（ステップＳ１２０）。
【００４４】
ステップＳ１２０における判定により、面積当たりの水の使用量が０．０１ｍ３／ｍ２以下であると判定した場合（ステップＳ１２０：Ｙｅｓ）、漏水判定部１３０は、漏水の可能性はなく「良好（◎）」であると判定し（ステップＳ１２５）、この第１の漏水判定処理を終える。
【００４５】
ステップＳ１２０における判定により、面積当たりの水の使用量が０．０１ｍ３／ｍ２より大きいと判定した場合（ステップＳ１２０：Ｎｏ）、漏水判定部１３０は、漏水の可能性はなく「良好（○）」であると判定し（ステップＳ１３０）、この第１の漏水判定処理を終える。
【００４６】
一方、ステップＳ１４０における判定により、面積当たりの水の使用量が０．１ｍ３／ｍ２より大きいと判定した場合（ステップＳ１４０：Ｎｏ）、漏水判定部１３０は、漏水の可能性があり、その可能性は「漏水確率が第１のレベル（★）」であると判定し（ステップＳ１４５）、この第１の漏水判定処理を終える。
【００４７】
一方、ステップＳ１１０における判定により、一人あたりの水の使用量が１０ｍ３／人より大きいと判定した場合（ステップＳ１１０：Ｎｏ）、漏水判定部１３０は、面積当たりの水の使用量が０．２ｍ３／ｍ２以下であるか否かを判定する（ステップＳ１５０）。
【００４８】
ステップＳ１５０における判定により、面積当たりの水の使用量が０．２ｍ３／ｍ２以下であると判定した場合（ステップＳ１５０：Ｙｅｓ）、漏水判定部１３０は、漏水の可能性があり、その可能性は「漏水確率が第２のレベル（★★）」であると判定し（ステップＳ１５５）、この第１の漏水判定処理を終える。
【００４９】
ステップＳ１５０における判定により、面積当たりの水の使用量が０．２ｍ３／ｍ２より大きいと判定した場合（ステップＳ１５０：Ｎｏ）、漏水判定部１３０は、漏水の可能性があり、その可能性は「漏水確率が第３のレベル（★★★）」であると判定し（ステップＳ１６０）、この第１の漏水判定処理を終える。
【００５０】
以上に示したように、この第１の漏水判定処理では、その判定基準として、所定の期間に室内８１０にいた人数と、前記所定の期間に供給した水量との比に基づいた第１の判定基準を含むようにした。その、第１の判定基準は、所定の期間に室内８１０にいる一人あたりに必要とされる水量と、前記所定の期間に室内８１０の室内環境を調整した空気調和設備に供給する水量とを加えた水量に基づいて定めたものである。
その判定基準として、室内８１０の広さと、前記所定の期間に供給した水量の比に基づいた第２の判定基準を含むようにした。
【００５１】
（第２の漏水判定処理について）
図４を参照して、上記の第２の漏水判定処理のより具体的な一例について説明する。同図は、第２の漏水判定処理の、より具体的な手順の一例を示すフローチャートである。
【００５２】
上水使用量取得部１２０は、上水使用量算出装置３１０から今回の使用量Ｘ１を取得する(ステップＳａ２１０)。
上水使用量取得部１２０は、上水使用量算出装置３１０から前回の使用量Ｘ２を取得する（ステップＳａ２１５）。
漏水判定部１３０は、今回の使用量Ｘ１と前回の使用量Ｘ２とから使用量の差Ｘを算出する（ステップＳａ２２０）。
【００５３】
漏水判定部１３０は、所定の期間の使用量の差Ｘの最大値Ｘｍａｘと、使用量の差Ｘの最小値Ｘｍｉｎとを算出する（ステップＳａ２２５）。
漏水判定部１３０は、所定の期間の使用量の差Ｘから、最大値Ｘｍａｘと最小値Ｘｍｉｎを除いて標準偏差ｓを算出する（ステップＳａ２３０）。
【００５４】
漏水判定部１３０は、所定の期間の使用量の差Ｘの最大値Ｘｍａｘが（Ｘｍａｘ≧６ｘｓ）の条件を満たし、かつ、所定の期間の使用量の差Ｘの最小値Ｘｍｉｎと最大値Ｘｍａｘが、（｜Ｘｍｉｎ｜＜０．７ｘＸｍａｘ）の条件を満たすか否かを判定する(ステップＳａ２３５)。
【００５５】
ステップＳａ２３５における判定により、所定の期間の使用量の差Ｘの最大値Ｘｍａｘが（Ｘｍａｘ≧６ｘｓ）の条件を満たし、かつ、所定の期間の使用量の差Ｘの最小値Ｘｍｉｎと最大値Ｘｍａｘが（｜Ｘｍｉｎ｜＜０．７ｘＸｍａｘ）の条件を満たすと判定された場合（ステップＳａ２３５：Ｙｅｓ）、漏水判定部１３０は、漏水の可能性があり、その可能性は「漏水確率が第２のレベル（★★）」であると判定し（ステップＳａ２４０）、この第２の漏水判定処理を終える。
【００５６】
一方、ステップＳａ２３５における判定により、所定の期間の使用量の差Ｘの最大値Ｘｍａｘが（Ｘｍａｘ≧６ｘｓ）の条件を満たさないと判定された場合か、又は、所定の期間の使用量の差Ｘの最小値Ｘｍｉｎと最大値Ｘｍａｘが（｜Ｘｍｉｎ｜＜０．７ｘＸｍａｘ）の条件を満たさないと判定された場合（ステップＳａ２３５：Ｎｏ）、漏水判定部１３０は、漏水の可能性はなく「良好（◎）」であると判定し（ステップＳａ２５０）、この第２の漏水判定処理を終える。
【００５７】
以上に示したように、この第２の漏水判定処理では、その判定基準として、所定の期間に供給した、前記所定の期間ごとの水量の前回値と今回値の差に基づいた第３の判定基準を含むようにした。
【００５８】
上記のように構成した漏水判定部１３０では、前記第１の判定基準、前記第２の判定基準、前記第３の判定基準のうちの複数の判定基準に基づいて前記供給系統からの漏水を判定するようにしてもよい。
本発明の実施形態の漏水検知システム１は、上記のように構成したことにより、漏水の検出精度を高めることができる。
【００５９】
以上、本発明の実施形態について説明したが、図１に示す漏水検知システム１の漏水検知装置１００は、内部にコンピュータシステムを有している。そして、上述した処理に関する一連の処理の過程は、プログラムの形式でコンピュータ読み取り可能な記憶媒体に記憶されており、このプログラムをコンピュータが読み出して実行することによって、上記処理が行われる。ここで、コンピュータ読み取り可能な記憶媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。また、ここでいう「コンピュータシステム」とは、ＯＳ等も含むものとする。
【００６０】
そして、漏水検知装置１００内の施設利用人数算出部１１０、上水使用量取得部１２０、漏水判定部１３０、及び、入出力部１４０における各処理の全部又は一部の処理は、ＣＰＵ等の中央演算処理装置がＲＯＭやＲＡＭ等の主記憶装置に上記プログラムを読み出して、情報の加工、演算処理を実行することにより、実現されるものである。勿論、図１に示す漏水検知装置１００を構成する各処理部は専用のハードウェアにより実現されるものであってもよい。
【００６１】
なお、ここで、本発明と上記実施形態との対応関係について補足して説明する。上記実施形態において、本発明における漏水検知システムは、漏水検知システム１が対応し、漏水判定部は、漏水判定部１３０が対応し、人数算出部は、施設利用人数算出部１１０が対応する。
【００６２】
（１）また、上記のように構成した漏水検知システム１では、予め定めた所定の領域に水を供給する給水系統からの漏水を検知する。漏水検知システム１は、前記所定の領域にいる人数の情報を含む情報に基づいて、前記供給系統からの漏水を判定する漏水判定部１３０を備える。
このように構成された漏水検知システム１の漏水判定部１３０が、前記所定の領域にいる人数の情報を含む情報に基づいて、前記供給系統からの漏水を判定する。
これにより、漏水判定部１３０が、前記所定の領域にいる人数の情報を含む情報に基づいて、前記供給系統からの漏水を判定できることから、漏水検知システム１は、漏水の検出精度を高めることができる。
【００６３】
（２）また、上記のように構成した漏水検知システム１は、予前記所定の領域内に存在する人数を算出する施設利用人数算出部１１０を備る。
このように構成された漏水検知システム１の漏水判定部１３０が、施設利用人数算出部１１０によって算出した人数の情報を含む情報に基づいて、前記供給系統からの漏水を判定する。
これにより、漏水検知システム１は、施設利用人数算出部１１０によって算出した人数の情報を含む情報に基づいて、前記供給系統からの漏水を判定できることから、漏水の検出精度を高めることができる。
【００６４】
（３）また、上記のように構成した漏水検知システム１の漏水判定部１３０は、前記供給系統からの漏水の有無を判定する判定基準に前記検出された人数を用いて、前記供給系統からの漏水を判定する。
これにより、漏水検知システム１は、前記供給系統からの漏水の有無を判定する判定基準に前記検出された人数を用いて、前記供給系統からの漏水を判定できることから、漏水の検出精度を高めることができる。
【００６５】
（４）また、上記のように構成した漏水検知システム１における判定基準として、所定の期間に前記所定の領域にいた人数と、前記所定の期間に供給した水量との比に基づいた第１の判定基準を含むようにした。
これにより、漏水検知システム１は、第１の判定基準に、所定の期間に前記所定の領域にいた人数と、前記所定の期間に供給した水量との比に基づいて判定することができ、漏水の検出精度を高めることができる。
【００６６】
（５）また、上記のように構成した漏水検知システム１の第１の判定基準は、所定の期間に前記所定の領域にいる一人あたりに必要とされる水量と、前記所定の期間に前記所定の領域の室内環境を調整した空気調和設備に供給する水量とを加えた水量に基づいて定めるようにした。
これにより、漏水検知システム１は、第１の判定基準に、所定の期間に前記所定の領域にいる一人あたりに必要とされる水量と、前記所定の期間に前記所定の領域の室内環境を調整した空気調和設備に供給する水量とを加えた水量に基づいて判定することができ、漏水の検出精度を高めることができる。
【００６７】
（６）また、上記のように構成した漏水検知システム１における判定基準として、前記所定の領域の広さと、前記所定の期間に供給した水量の比に基づいた第２の判定基準を含むようにした。
これにより、漏水検知システム１は、第２の判定基準に、前記所定の領域の広さと、前記所定の期間に供給した水量の比に基づいて判定することができ、漏水の検出精度を高めることができる。
【００６８】
（７）また、上記のように構成した漏水検知システム１における判定基準として、所定の期間に供給した、前記所定の期間ごとの水量の前回値と今回値の差に基づいた第３の判定基準を含むようにした。
これにより、漏水検知システム１は、第３の判定基準に、所定の期間に供給した、前記所定の期間ごとの水量の前回値と今回値の差に基づいた判定することができ、漏水の検出精度を高めることができる。
【００６９】
（８）また、上記のように構成した漏水検知システム１の漏水判定部１３０は、前記第１の判定基準、前記第２の判定基準、前記第３の判定基準のうちの複数の判定基準に基づいて前記供給系統からの漏水を判定する。
これにより、漏水検知システム１は、前記第１の判定基準、前記第２の判定基準、前記第３の判定基準のうちの複数の判定基準に基づいて前記供給系統からの漏水を判定することができ、漏水の検出精度を高めることができる。
【００７０】
以上、本発明の実施の形態について説明したが、本発明の漏水検知システム１は、上述の図示例にのみ限定されるものではなく、本発明の要旨を逸脱しない範囲内において種々変更を加え得ることは勿論である。
例えば、上記の実施の形態において、漏水検知システム１は、上水道の給水系統からの漏水を検出するものとしたが、上記の構成に限られず、上水道以外の給水系統からの漏水を検出するようにしてもよい。このように、漏水検知システム１は、あらゆる種類の給水系統からの漏水を検出することができる。
【符号の説明】
【００７１】
１  漏水検知システム、１１０  施設利用人数算出部、１３０  漏水判定部
【図１】
2015232515.tif 000004
【図２】
2015232515.tif 000005
【図３】
2015232515.tif 000006
【図４】
2015232515.tif 000007